(57)【要約】【課題】クリップ部材で挟持した筆記具が衣服やカバン等が容易に外れないようにするとともに、繰り返しの使用や衝撃等によってクリップ部材が破損し難く、比較的、厚手の物に挟持できる、クリップ部材を有する筆記具を提供する。【解決手段】クリップ部材と筒体間に配設した弾性体によって、常時、クリップ部材の先端部の内壁を筒体の外壁面に圧接し、クリップ部材の後端部を押圧することにより、クリップ部材と筒体との連結部を支点とし、前記クリップ部材の先端部の内壁を軸筒の外壁面から離間可能に配設してなるクリップ部材を有する筆記具であって、前記クリップ部材の先端部の内壁に、対向する筒体の外壁面の曲率と略同曲率の挟持面を形成するとともに、該クリップ部材の挟持面を対向する筒体の外壁面に圧接して配設してあることを特徴とする。【選択図】          図１
2007253547.tif 000002
【特許請求の範囲】
【請求項１】
クリップ部材と筒体間に配設した弾性体によって、常時、クリップ部材の先端部の内壁を筒体の外壁面に圧接し、クリップ部材の後端部を押圧することにより、クリップ部材と筒体との連結部を支点とし、前記クリップ部材の先端部の内壁を軸筒の外壁面から離間可能に配設してなるクリップ部材を有する筆記具であって、前記クリップ部材の先端部の内壁に、対向する筒体の外壁面の曲率と略同曲率の挟持面を形成するとともに、該クリップ部材の挟持面を対向する筒体の外壁面に圧接して配設してあることを特徴とするクリップ部材を有する筆記具。
【請求項２】
前記挟持面に凹溝を複数個形成したことを特徴とする請求項１に記載のクリップ部材を有する筆記具。
【発明の詳細な説明】
【技術分野】
【０００１】
本発明は、クリップ部材と筒体間に配設した弾性体によって、常時、クリップ部材の先端部の内壁面を筒体の外壁面に圧接し、クリップ部材の後端部を押圧することにより、クリップ部材と筒体との連結部を支点とし、クリップ部材の先端内壁部を軸筒の外壁面から離間可能に配設したクリップ部材を有する筆記具に関する。
【背景技術】
【０００２】
従来から、クリップ部材の先端部の内壁面を筒体の外壁面側に常時弾発し、クリップ部材の先端部の内壁面を筒体から離間可能なクリップ部材を有する筆記具はよく知られている。こうしたクリップ部材を有する筆記具において、実開昭５５−１４８９９０号「筆記具のクリップ装置」や実開昭５６−１５９２８３号「筆記具のクリップ装置」に開示されている。
【０００３】
こうしたクリップ部材の先端部の内壁面を筒体の外壁面側に常時弾発し、クリップ部材の先端部の内壁面を筒体の外壁面から離間可能なクリップ部材を有する筆記具は、筒体にクリップを一体に形成した筆記具に比べて挟持力が高く、クリップ部材に挟持したポケットやノート等が容易に外れ難い構造である。
【０００４】
ところで、クリップ部材に挟持したポケットやノート等が容易に外れ難い構造としては、特開２００４−２７６４７４号「クリップ及びこのクリップを取り付けた用具」や特開２００３−２４６１８９号「筆記具及び筆記具用クリップ」に、クリップ部材に係止したポケットやノート等が容易に外れない構造としたクリップ部材が開示されている。
【特許文献１】「実開昭５５−１４８９９０号公報」
【特許文献２】「実開昭５６−１５９２８３号公報」
【特許文献３】「特開２００４−２７６４７４号公報」
【特許文献４】「特開２００３−２４６１８９号公報」
【発明の開示】
【発明が解決しようとする課題】
【０００５】
しかしながら、特許文献３は、操作レバーを操作することによってクリップ部材に係止したポケットやノート等が容易に外れない構造となるが、構造が複雑であり、さらに、使用者が操作しなければないらいという煩雑さがあった。また、特許文献４は、常時、クリップ部材に係止したポケットやノート等が容易に外れない構造であるので好ましいが、表面摩擦抵抗の異なる二種類の材料を用いなければならず、材料の選定等が難しいという問題あった。
【０００６】
本発明の目的は、クリップ部材で挟持した筆記具が衣服やカバン等が容易に外れないようにするとともに、繰り返しの使用や衝撃等によってクリップ部材が破損し難く、比較的、厚手の物に挟持できる、クリップ部材を有する筆記具を提供することである。
【課題を解決するための手段】
【０００７】
本発明は、クリップ部材と筒体間に配設した弾性体によって、常時、クリップ部材の先端部の内壁を筒体の外壁面に圧接し、クリップ部材の後端部を押圧することにより、クリップ部材と筒体との連結部を支点とし、前記クリップ部材の先端部の内壁を軸筒の外壁面から離間可能に配設してなるクリップ部材を有する筆記具であって、前記クリップ部材の先端部の内壁に、対向する筒体の外壁面の曲率と略同曲率の挟持面を形成するとともに、該クリップ部材の挟持面を対向する筒体の外壁面に圧接して配設してあることを特徴とする。
【０００８】
また、前記挟持面に凹溝を複数個形成したことを特徴とする。
【発明の効果】
【０００９】
クリップ部材で挟持した筆記具が衣服やカバン等が容易に外れないようにするとともに、繰り返しの使用や衝撃等によってクリップ部材が破損し難く、比較的、厚手の物に挟持できる、クリップ部材を有する筆記具を提供することができた。
【発明を実施するための最良の形態】
【００１０】
次に図面を参照しながら、本発明のクリップ部材を有する筆記具の実施例を説明するが、本発明は以下の実施例に限定されるものではない。
【００１１】
実施例１
図１から図３に示すクリップ部材を有する筆記具１は、前軸２と後軸３を螺合して筒体本体を形成し、後軸３内の受け部材１４に当接して配設したコイルスプリング８によって、回転カム５を後軸後端３ａ側に付勢するとともに、先端部にボールを回転自在に抱持したボールペンチップ７を装着したボールペンレフィル６の後端部を、回転カム５に連動可能に圧入嵌合したノック式ボールペンである。前軸２の把持部にはグリップ部材１３を装着し、前軸２の先端部には口先部材１５を螺着してある。
【００１２】
クリップ部材１０は、後軸３の後端部の外壁に設けたクリップ部材１０側に向かって延びる突部１１と、クリップ部材１０の内壁面間に、突部１１を覆うようにコイルスプリング１２を配設することにより、クリップ部材１０の先端部の内壁の挟持面１０ａを、後軸３の外壁面３ｂ側に常時弾発して付設してある。また、クリップ部材１０の後端部１０ｂを後軸３側に押圧（図３の矢印Ｆ方向）することにより、クリップ部材１０の両側壁１０ｃと後軸３の支柱９との連結部Ｓを支点とし、クリップ部材１０の先端部の内壁に形成した挟持面１０ａを後軸３の外壁面３ｂから離間可能にしてある。尚、クリップ部材の挟持面１０ａと後軸の外壁面３ｂから離間させる時のクリップ部材１０の操作荷重は約３５０ｇｆであった。
【００１３】
また、クリップ部材１０の先端部には貫通穴１０ｅを形成してあり、クリップ部材１０の先端部の内壁に、貫通穴１０ｅを挟み、対峙する位置に挟持面１０ａを併設してある。この挟持面１０ａの曲率ｒは、対向する後軸３の外壁面３ｂの曲率Ｒと略同曲率とし、この挟持面１０ａを対向する後軸３の外壁面３ｂに圧接するように配設してある。さらに、挟持面１０ａには、軸筒本体の軸心Ｊに対して垂直方向に延びる凹溝１０ｄを４本形成してある。尚、図示はしていないが、貫通穴１０ｅには、装飾体を装着することができる。
【００１４】
コイルスプリング１３によって、クリップ部材１０の先端部の内壁に形成した挟持面１０ａを、後軸３の外壁面３ｂ側に常時弾発して圧接するとともに、クリップ部材１０の後端部１０ｂを後軸３側に押圧することにより、クリップ部材１０と後軸３との連結部Ｓを支点とし、クリップ部材１０の先端部の内壁に形成した挟持面１０ａを後軸３の外壁面３ｂから離間可能にすることによって、繰り返しの使用による耐久性が向上し、クリップ部材１０の先端部の内壁に形成した挟持面１０ａと対向する後軸３の外壁面３ｂとの離間距離を大きくできるので比較的厚手の物に挟持可能となる。
【００１５】
また、クリップ部材１０の先端部の内壁に、対向する後軸３の外壁面３ｂの曲率と略同曲率の挟持面１０ａを形成することによって、後軸３の外壁面３ｂと挟持面１０ａ間に挟持するポケット等の被挟持物（図示せず）との接触面積が増加するため挟持力が高くなり、容易に被挟持物が外れることがなくなる。また、挟持面１０ａを形成することによって、クリップ部材１０の非使用時には、クリップ部材１０の先端部と後軸３の外壁面３ｂとの隙間がなくなり、外観上も好ましい。
【００１６】
クリップ部材１０の先端部の内壁に、対向する後軸３の外壁面３ｂの曲率と略同曲率の挟持面１０ａを形成すると、後軸３の外壁面３ｂと挟持面１０ａ間に挟持するポケット等の被挟持物（図示せず）を挟持するには、クリップ部材１０の先端部の内壁に形成した挟持面１０ａと対向する後軸３の外壁面３ｂとの大きく離間させる必要があるため、容易に後軸３の外壁面３ｂと挟持面１０ａ間に挟持するポケット等の被挟持物（図示せず）を挟持するためには、後軸３の外壁面３ｂ側に常時弾発して圧接するとともに、クリップ部材１０の後端部１０ｂを後軸３側に押圧（図１の矢印Ｆ方向）することにより、クリップ部材１０と後軸３との連結部Ｓを支点とし、クリップ部材１０の先端部の内壁に形成した挟持面１０ａを後軸３の外壁面３ｂから離間可能することが重要である。
【００１７】
また、クリップ部材１０の先端部の内壁に形成した挟持面１０ａに凹溝１０ｄを複数個形成することによって挟持面１０ａの表面積が増加するため、ポケット等の比較的に柔軟な被挟持物の場合には、後軸の外壁面３ｂ及び挟持面１０ａの形状に応じて変形するので、後軸の外壁面３ｂと挟持面１０ａ間に挟持する被挟持物との接触面積は増加し、凹凸による抵抗力が付与されるので好ましい。
【００１８】
ボールペンレフィル６を使用する場合には、従来から知られている回転カムによる出没機構を作動させて使用する。具体的には、後軸後端３ａより外方に突出したノック体４を口先部材１５の先端開口部１５ａ側に押圧することにより、ノック体４の先端部に設けたカム部の作用により回転カム５をカム溝（図示せず）に沿って前進及び回転させて、ボールペンチップ７を口先部材１５の先端開口部１５ａより突出した状態を維持して使用することができる。
【００１９】
また、ボールペンチップ７を口先部材１５の先端開口部１５ａから突出を維持した状態で、後軸後端３ａより外方に突出したノック体４を押圧すると、ノック体４の先端部に設けたカム部の作用により回転カム５を回転させて、コイルスプリング８の付勢力によって、回転カム５が後軸後端３ａ側に移動し、この回転カム５に連動してボールペンレフィル６も後軸後端３ａ側に移動してボールペンチップ７を前軸２内に没入させる。尚、ボールペンチップ７を突出させる時のノック体の操作荷重は約３５０ｇｆであった。
【００２０】
従来のノック式筆記具においては、ノック体の操作荷重は、操作性、すなわち容易に作動できる荷重として、１００〜２００ｇｆに設定されていることに着眼し、クリップ部材の操作荷重を、２００ｇｆより高く設定して容易にクリップ部材が外れないようにすることが好ましく、さらに、クリップ部材の操作荷重が高すぎると、操作性が悪くなる傾向となるので、１ｋｇｆ以下、好ましくは８００ｇｆ以下に設定することが好ましい。また、クリップ部材の操作荷重をノック体の操作荷重と同等に設定することで、同一の力でクリップ部材とノック体を操作できるので最も好ましい。
【００２１】
本発明において、クリップ部材の操作荷重とは、クリップ部材の後端部を軸筒側に向かって押圧し、クリップ部材の先端部の内壁が軸筒の外壁面から離間するのに必要な軸筒とクリップ部材間に配設した弾性体を縮める押圧荷重と、クリップと筒体との連結部との摩擦力とを総合した荷重のことである。このクリップ部材の操作荷重は、クリップ部材の形状、特に先端部の内壁形状によって異なるが、クリップ部材と軸筒間に被挟持を挟む挟持力と略同等となる。また、ノック体の操作荷重とは、ノック体を操作してペン先部が突出状態を維持させるのに必要な押圧荷重で、ペン先部を備えたレフィールを軸筒の後端方向に付勢しているスプリングを縮める荷重と、ノック操作時のノック機構部に生じる部品間の摩擦力とを総合した荷重である。
【００２２】
クリップ部材及びノック体の操作荷重の測定は、プッシュプルスケールを用いて行い、計測軸端に先端が平坦なアタッチメントを取付けてノック体の後端面を軸筒先端方向に押圧、またはクリップ部材の後端部を軸筒方向に押圧し、ペン先部が突出状態を維持させるのに必要な荷重をノック体の操作荷重、クリップ部材の先端部の内壁が軸筒の外壁面から離間するのに必要な押圧荷重をクリップ部材の操作荷重とする。
【００２３】
本実施例では、便宜上、クリップ部材の先端部の内壁に形成した挟持面を、後軸とクリップ部材間に配設したコイルスプリングからなる弾性体によって、筒体外壁面側に常時弾発する構造としてあるが、弾性体としてＵ字状バネや板バネを用いてもよいが、繰り返しの使用による耐久性を考慮してコイルスプリングを用いることが最も好ましい。また、便宜上、筒体として軸筒を例示してあるが、筒体の形状は特に限定されるものではなく、筒体をキャップとして用いることもできる。
【産業上の利用可能性】
【００２４】
クリップ部材を有する筆記具として広く実施可能であり、被係止物の挟持力が高く、容易に被係止物から外れないので、通勤や通学等の移動時に効果的である。
【図面の簡単な説明】
【００２５】
【図１】クリップ部材を有する筆記具を示す縦断面図である。
【図２】図１における一部省略した要部拡大断面図である。
【図３】図１における挟持面を後軸３の外壁面から離間した状態を示す一部省略した要部拡大断面図である。
【図４】図１における一部省略した要部拡大Ａ−Ａ断面図である。
【図５】図１におけるクリップ部材の挟持面を軸筒側から見た一部省略した図である。
【符号の説明】
【００２６】
１  クリップ部材を有する筆記具
２  前軸
３  後軸
３ａ  後端
３ｂ  外壁面
４  ノック体
５  回転カム
６  ボールペンレフィル
７  ボールペンチップ
８  コイルスプリング
９  支柱
１０  クリップ部材
１０ａ  挟持面
１０ｂ  後端部
１０ｃ  側壁
１０ｄ  凹溝
１１  突部
１２  コイルスプリング
１３  グリップ部材
１４  受け部材
１５  口先部材
１５ａ  先端開口部
【図１】
2007253547.tif 000003
【図２】
2007253547.tif 000004
【図３】
2007253547.tif 000005
【図４】
2007253547.tif 000006
【図５】
2007253547.tif 000007